(57)【要約】      （修正有）【課題】それぞれが単体でもアクセサリーとして使用可能なアクセサリーを用いて、使用者の気分やファッションに合わせて自由に組合せが可能であり、さらにトレーディングカードのように友達同士での交換が可能で、ゲーム感覚でも楽しめるアクセサリーセットを提供する。【解決手段】少なくとも一部は弾性材料から構成され、この弾性材料から構成される部位に凹部又は／及び貫通部を設けるとともに装飾対象に対して係止可能な第一係止部をも設けた第一アクセサリー０１０１と、凹部又は貫通部にはめることで凹部又は貫通部に保持可能であって、装飾対象に対して係止可能な第二係止部を有する第二アクセサリー０１０５と、からなる。【選択図】図１
0003194899.tif 000002
【実用新案登録請求の範囲】
【請求項１】
少なくとも一部は弾性材料から構成され、この弾性材料から構成される部位に凹部又は／及び貫通部を設けるとともに装飾対象に対して係止可能な第一係止部をも設けた第一アクセサリーと、
前記凹部又は貫通部にはめることで前記凹部又は貫通部に保持可能であって、装飾対象に対して係止可能な第二係止部を有する第二アクセサリーと、
からなるアクセサリーセット。
【請求項２】
前記凹部又は／及び貫通部の内壁には第二アクセサリーを位置決めするための位置決用係止溝が設けられている請求項１に記載のアクセサリーセット。
【請求項３】
前記第一係止部は装飾対象に対して第一アクセサリーを吊り下げるための手段である吊下手段である請求項１又は２に記載のアクセサリーセット。
【請求項４】
前記第二係止部は装飾対象に対して第二アクセサリーを付着するためのピン手段である請求項１から３のいずれか一に記載のアクセサリーセット。
【請求項５】
第一アクセサリーはスポーツ選手のユニフォーム形態、芸能人の衣装形態、有名人の髪型形態のいずれか一であり、第二アクセサリーは、そのユニフォームを着用するスポーツ選手の顔形態、その衣装を着用することで知られる芸能人の顔形態、又はその髪型で知られる有名人の顔形態である請求項１から４のいずれか一に記載のアクセサリーセット。
【請求項６】
第一アクセサリーの弾性材料はソフトＰＶＣである請求項１から５のいずれか一に記載のアクセサリーセット。
【請求項７】
第一アクセサリーの弾性材料表面又は／及び第二アクセサリーの表面にはアニメキャラクターが描かれている請求項１から６のいずれか一に記載のアクセサリーセット。
【考案の詳細な説明】
【技術分野】
【０００１】
本件考案は、アクセサリーとしての装飾性を有する二種のアクセサリーを組み合わせてなるアクセサリーセットに関する。
【背景技術】
【０００２】
従来より、バッジ及びキーホルダーに関するアクセサリーが知られている。
【特許文献１】実登第３１９２５２０号
【考案の開示】
【考案が解決しようとする課題】
【０００３】
しかしながら、単体でもアクセサリーとして使用可能な二種のアクセサリーを用いて、使用者の気分や、ファッションに合わせて自由に組合せることができ、さらにトレーディングカードのように友達同士での交換が可能で、ゲーム感覚でも楽しめるようなアクセサリーセットはなかった。
【課題を解決するための手段】
【０００４】
以上の課題を解決するため、第一の考案は、少なくとも一部は弾性材料から構成され、この弾性材料から構成される部位に凹部又は／及び貫通部を設けるとともに装飾対象に対して係止可能な第一係止部をも設けた第一アクセサリーと、前記凹部又は貫通部にはめることで前記凹部又は貫通部に保持可能であって、装飾対象に対して係止可能な第二係止部を有する第二アクセサリーと、からなるアクセサリーセットを提供する。
【０００５】
第二の考案は、前記凹部又は／及び貫通部の内壁には第二アクセサリーを位置決めするための位置決用係止溝が設けられている第一の考案に記載のアクセサリーセットを提供する。
【０００６】
第三の考案は、前記第一係止部は装飾対象に対して第一アクセサリーを吊り下げるための手段である吊下手段である第一又は第二の考案に記載のアクセサリーセットを提供する。
【０００７】
第四の考案は、前記第二係止部は装飾対象に対して第二アクセサリーを付着するためのピン手段である第一から第三の考案のいずれか一に記載のアクセサリーセットを提供する。
【０００８】
第五の考案は、第一アクセサリーはスポーツ選手のユニフォーム形態、芸能人の衣装形態、有名人の髪型形態のいずれか一であり、第二アクセサリーは、そのユニフォームを着用するスポーツ選手の顔形態、その衣装を着用することで知られる芸能人の顔形態、又はその髪型で知られる有名人の顔形態である第一から第四の考案のいずれか一に記載のアクセサリーセットを提供する。
【０００９】
第六の考案は、第一アクセサリーの弾性材料はソフトＰＶＣである第一から第五の考案のいずれか一に記載のアクセサリーセットを提供する。
【００１０】
第七の考案は、第一アクセサリーの弾性材料表面又は／及び第二アクセサリーの表面にはアニメキャラクターが描かれている第一から第六の考案のいずれか一に記載のアクセサリーセットを提供する。
【考案の効果】
【００１１】
本件考案によれば、それぞれが単体でもアクセサリーとして使用可能なアクセサリーを用いて、使用者の気分やファッションに合わせて自由に組合せが可能であり、さらにトレーディングカードのように友達同士での交換が可能で、ゲーム感覚でも楽しめるアクセサリーセットを提供することができる。
【考案を実施するための最良の形態】
【００１２】
以下に本件考案の実施例を説明する。実施例は請求項１から７について説明している。なお、本件考案はこれらの実施例に限定されるものではなく、その要旨を逸脱しない範囲において、種々なる態様で実施しうる。
≪実施例≫
【００１３】
＜概要＞
実施例のアクセサリーセットは、第一アクセサリーが、第二アクセサリーを保持することで、第一アクセサリーと、第二アクセサリーを組み合わせてなるものである。アクセサリーと第二アクセサリーは、固有の装飾性を備えていることからそれぞれ単独で使用することも可能であるが、両者を組み合わせることにより、アクセサリーのバリエーションが増え、使用者の個性をより発揮することができ、アクセサリーセットを取り付ける他の持ち物との相性や、使用者の気分によって、自在にアクセサリーを変化させることが可能である。また、友人同士で、第二アクセサリーを交換したりするなど、トレーディングカードのように楽しむことができ、ゲーム性を持たせることも可能である。
【００１４】
＜構成＞
図１は、実施例のアクセサリーセットを説明するための図であり、第一アクセサリー（０１０１）と第二アクセサリー（０１０５）とからなる。
「アクセサリー」とは、それ自体が単独で対象物を装飾する機能を形状、模様、色彩、又はこれらの組合せによって有するものである。したがって、アクセサリーの部分、部品はそれ自体が単独で対象物を装飾する機能を有さないのでアクセサリーとはいえない。本件考案は、複数のアクセサリーが結合することで各々のアクセサリーとは異なる装飾機能を発揮するように構成した点に特徴を有する。
【００１５】
（第一アクセサリー）
第一アクセサリーについて、図２を用いて説明する。「第一アクセサリー」（０２０１）とは、それ単体でもアクセサリーとしての装飾性を有するものであり、少なくとも一部は弾性材料から構成され、この弾性材料から構成される部位に凹部又は／及び貫通部を設けるとともに装飾対象に対して係止可能な第一係止部を設けたことを特徴とするアクセサリーをいう。弾性材料は、後述する第二アクセサリーを保持できるように、第二アクセサリーをはめ込み易くかつ容易に脱落しないための適度に弾力のある素材であり、例えばシリコン、ポリ塩化ビニル、ゴム等が考えられるが、これらの素材と同様の適度の弾力を有するものであれば素材は問わない。弾性材料から構成される凹部には、あらかじめ顔やキャラクターの絵等が描かれているものであってもよい。
【００１６】
（第一係止部）
「第一係止部」（０２０２）とは、第一アクセサリーを装飾対象に係止するための構造を有した部分をいい、装飾対象に係止可能なような形状・構成を有するものであれば形状や素材を問わない。第一係止部の部品として考えられるものは、例えば、ダブルリング（リングが二重になっている部分があり、その部分を押し広げるなどしてリングにアクセサリーを通して係止するもの）、いわゆる丸カンやナスカン、ピン、クリップ、磁石等が考えられる。あるいは、装飾対象に結び付けられるように紐状のものであってもよい。図２は、ダブルリングを用いた場合の具体例であり、第一アクセサリー本体の上端の環状部分から、装飾対象物に直接に係止するダブルリングまでが第一係止部にあたる。
【００１７】
（吊下手段）
第一係止部は、装飾対象に吊り下げられるようなものであっても良い。例えば、キーホルダー、携帯電話用ストラップ、チェーン、イヤホンジャック付きストラップなどであってもよい。
図２は、吊下手段がキーホルダーである場合の図である。
【００１８】
（凹部又は貫通部）
第一アクセサリーは、中心部分など、後述する第二アクセサリーを保持すべき部分に凹部又は貫通部（０２０３）を有することを特徴とする。これらの凹部又は貫通部に、後述する第二アクセサリーをはめ込んで両者を組み合わせ、アクセサリーセットとすることができる。
【００１９】
第一アクセサリーの凹部又は貫通部は、複数であってもよく、複数の第二アクセサリーをはめ込み可能としてもよい。
【００２０】
（位置決用係止溝）
位置決用係止溝について、第一アクセサリーの断面図である図３を用いて説明する。「位置決用係止溝」（０３０４）とは、第一アクセサリーの凹部又は／及び貫通部の内壁に第二アクセサリーの位置を決めて固定するため中心線部分を一段深く削るなどして、第二アクセサリーを保持する位置を決め、かつ容易に脱落しないようにするための溝部分をいう。図３で周囲より一段濃く表現されている部分が位置決用係止溝である。この位置決用係止溝に第二アクセサリーをはめ込んで第一アクセサリーと第二アクセサリーとを一体化させる。
【００２１】
（第二アクセサリー）
第二アクセサリーについて、図４を用いて説明する。「第二アクセサリー」（０４０５）とは、第一アクセサリーに保持されるアクセサリーであり、単体でもアクセサリーとなりうる装飾性のあるものをいう。第二アクセサリーとして考えられるのは、例えば、各種バッジ類、コサージュ等であるが、単体で装飾性があり、第一アクセサリーに保持することが可能なものであれば、形状や素材は問わない。図４は、バッジ形態をした第二アクセサリーの正面図である。
【００２２】
（第二係止部）
第二係止部について、図５を用いて説明する。「第二係止部」（０５０６）とは、第二アクセサリーが、装飾対象に係止可能とする部分をいう。バッジの場合であれば、例えば、ピン手段である安全ピン、ねじ式のもの、クリップ状のものが考えられるが、係止可能な物であれば形状や素材は問わない。図５は、第二係止部が安全ピンの場合である。
【００２３】
（第一アクセサリーが交換可能な点）
第一アクセサリーと第二アクセサリーとは、着せ替え、入れ替え等の交換が可能である。具体的には、図６は第一アクセサリーに髪型Ａを用いたもので、図７の第一アクセサリーに髪型Ｂを用いたものであるが、これらは気分やＴＰＯにより交換が可能である。自分の持っている第一アクセサリーあるいは第二アクセサリーと友達のそれらを交換するなどして、アクセサリーとしての用法だけでなく、トレーディングカード同様に遊びにも用いることが可能である。
【００２４】
さらに、第一アクセサリーは、スポーツ選手のユニフォーム形態、芸能人の衣装形態、有名人の髪型形態であってもよい。この場合、第二アクセサリーは、第一アクセサリーと適合するそのユニフォームを着用するスポーツ選手の顔形態、その衣装を着用することで知られる芸能人の顔形態、又はその髪型で知られる有名人の顔形態であることが好ましい。これらの第一アクセサリーと第二アクセサリーとを組み合わせることにより、スポーツ選手や芸能人の着せ替え、髪型の変更等さまざまなバリエーションで遊ぶことが可能となる。例えば、お気に入りのスポーツ選手の顔のバッジを第二アクセサリーとし、第一アクセサリーをホームとアウェーとで異なるユニフォームとして、着せ替えることが可能となり、観戦場所により適宜ユニフォームを入れ替えることが可能となる。
【００２５】
（第一アクセサリーの弾性材料はソフトＰＶＣである点）
第一アクセサリーの弾性材料がソフトＰＶＣ（軟質ポリ塩化ビニル）としてもよい。この場合には、シリコンと比べて、より多色を用いることができ、かつ発色も優れたものとすることができるため、第一アクセサリーのデザイン性をより広げることが可能となる。
【００２６】
（各アクセサリーにアニメキャラクターが描かれている点）
アクセサリーセットの第一アクセサリーの弾性材料表面又は／及び第二アクセサリーの表面には、アニメキャラクターが描かれているものであってもよい。図８は第二アクセサリー表面にアニメキャラクターが描かれた場合の概念図である。
【００２７】
＜効果＞
本実施例により、それぞれが単体でもアクセサリーとして使用可能なアクセサリーを用いて、使用者の気分やファッションに合わせて自由に組合せが可能であり、さらにトレーディングカードのように友達同士での交換が可能で、ゲーム感覚でも楽しめるアクセサリーセットを提供することができる。
【図面の簡単な説明】
【００２８】
【図１】アクセサリーセットの正面図
【図２】第一アクセサリーの正面図
【図３】第一アクセサリーの断面図
【図４】第二アクセサリーの正面図
【図５】第二アクセサリーの背面図
【図６】髪型Ａの形状である第一アクセサリーの正面図
【図７】髪型Ｂの形状である第一アクセサリーの正面図
【図８】アニメキャラクターの概念図
【符号の説明】
【００２９】
０１００      アクセサリーセット
０２０１      第一アクセサリー
０２０２      第一係止部
０２０３      凹部又は貫通部
０３０４      位置決用係止溝
０４０５      第二アクセサリー
０５０６      第二係止部
【図１】
0003194899.tif 000003
【図２】
0003194899.tif 000004
【図３】
0003194899.tif 000005
【図４】
0003194899.tif 000006
【図５】
0003194899.tif 000007
【図６】
0003194899.tif 000008
【図７】
0003194899.tif 000009
【図８】
0003194899.tif 000010